(57)【特許請求の範囲】
【請求項１】
無線機能の追加及び削除が可能な無線端末の無線機能が正常に動作するか否かの認定試験を認定装置で行い、認定を許可するか否かを示す信号を前記認定装置から前記無線端末に送信する認定試験方法であって、
前記認定装置は、代表端末で実施した認定情報をデータベースとして蓄積しておき、
前記無線端末は、新たに追加または削除したい無線機能の要求信号と前記無線端末の識別情報とを出力し、
前記無線端末の識別情報は、該無線端末自身を識別する機体ＩＤと、該無線端末が現在所持する各無線機能に関する情報を示すシステムＩＤと、該無線端末が現在使用可能な全無線機能の種類を示すシステム構成ＩＤと、を含み、
前記認定装置は、前記要求信号及び前記識別情報を出力した前記無線端末に対して認定を許可するか否かを前記データベースに基づいて判断して、その判断結果を該無線端末に送信し、
前記認定装置は、前記要求信号および前記識別情報を出力した前記無線端末の認定要求を許可する場合に、その判断結果を前記無線端末に送信し、
前記認定装置は、前記要求信号及び前記識別情報を出力した前記無線端末に対して認定を許可しない場合に、認定の許可に必要な情報を該無線端末に送信し、
前記無線端末は、前記認定が許可された場合には、前記認定装置に要求した無線機能の追加または削除を行い、 前記無線端末は、前記認定が許可されなかった場合には、前記認定の許可に必要な情報に基づいて、認定の許可を受けるために必要な処理を行って、その処理結果を前記認定装置に送信し、
前記認定装置は、前記無線端末から送信された処理結果に基づいて、認定を許可するか否かを判断することを特徴とする認定試験方法。
【請求項２】
前記要求信号及び前記識別情報を出力した前記無線端末は、認定許可の通知を受けると、無線機能の追加または削除に必要なソフトウェアをダウンロードし、
前記無線端末は、前記ソフトウェアのダウンロード後に、追加または削除後の無線機能が正常に動作するか否かの試験を行って、その試験結果を送信し、
前記認定装置は、前記無線端末から送信された試験結果に基づいて、追加または削除後の無線機能が正常に動作しているか否かを判断することを特徴とする請求項１に記載の認定試験方法。
【請求項３】
前記認定装置は、前記要求信号及び前記識別情報を出力した前記無線端末に対して認定を許可する場合には、前記ソフトウェアを取得する際に必要な取得許可信号を該無線端末に送信し、
前記無線端末は、基地局からの前記ソフトウェアの取得希望時期に関する問い合わせに対して、該取得希望時期に関する情報を前記基地局に送信し、
前記無線端末は、前記ソフトウェアを取得する前に、前記基地局に前記取得許可信号を送信し、
前記基地局は、前記無線端末から送信された前記取得許可信号と前記取得希望時期に関する情報とに基づいて、前記無線端末に対して前記ソフトウェアの取得を許可するか否かを決定し、
前記無線端末は、前記基地局が前記ソフトウェアの取得を許可した後に、前記ソフトウェアを取得することを特徴とする請求項１または２に記載の認定試験方法。
【請求項４】
無線機能の追加及び削除が可能な無線端末と、
前記無線端末の無線機能が正常に動作するか否かの認定試験を行い、認定を許可するか否かを示す信号を出力する認定装置と、を備え、
前記無線端末は、新たに追加または削除したい無線機能の要求信号と前記無線端末の識別情報とを出力する信号出力部を有し、
前記無線端末の識別情報は、該無線端末自身を識別する機体ＩＤと、該無線端末が現在所持する各無線機能に関する情報を示すシステムＩＤと、該無線端末が現在使用可能な全無線機能の種類を示すシステム構成ＩＤと、を含んでおり、
前記認定装置は、
代表端末で実施した認定情報を蓄積するデータベースと、
前記要求信号及び前記識別情報を出力した前記無線端末に対して認定を許可するか否かを前記データベースに基づいて判断する認定判断部と、
前記認定判断部の判断結果を該無線端末に送信する判断結果送信部と、を有し、
前記判断結果送信部は、前記要求信号および前記識別情報を出力した前記無線端末の認定要求を許可する場合に、その判断結果を前記無線端末に送信し、前記要求信号及び前記識別情報を出力した前記無線端末に対して認定を許可しない場合に、認定の許可に必要な情報を該無線端末に送信し、
前記無線端末は、前記認定が許可された場合には、前記認定装置に要求した無線機能の追加または削除を行い、
前記無線端末は、前記認定が許可されなかった場合には、前記認定の許可に必要な情報に基づいて、認定の許可を受けるために必要な処理を行って、その処理結果を前記認定装置に送信し、
前記認定判断部は、前記無線端末から送信された処理結果に基づいて、認定を許可するか否かを判断することを特徴とする認定試験システム。
【請求項５】
前記認定装置は、認定を許可した前記無線端末がダウンロードしたソフトウェアに基づいて該無線端末自身が試験した結果を受信し、その受信結果に基づいて該無線端末が正常に動作しているか否かを判断する試験結果判断部を備えることを特徴とする請求項４に記載の認定試験システム。
【請求項６】
無線機能の追加及び削除が可能な無線端末の無線機能が正常に動作するか否かの認定試験を行う認定装置であって、
代表端末で実施した認定情報を格納するデータベースと、
新たに追加または削除したい無線機能の要求信号と前記無線端末の識別情報とを出力した前記無線端末に対して認定を許可するか否かを前記データベースに基づいて判断し、その判断結果を出力する認定判断部と、
認定を許可した前記無線端末がダウンロードしたソフトウェアに基づいて該無線端末自身が試験した結果を受信し、その受信結果に基づいて該無線端末が正常に動作しているか否かを判断する試験結果判断部と、を備え、
前記無線端末の識別情報には、該無線端末自身を識別する機体ＩＤと、該無線端末が現在所持する各無線機能に関する情報を示すシステムＩＤと、該無線端末が現在使用可能な全無線機能の種類を示すシステム構成ＩＤと、が含まれており、
前記認定判断部は、前記要求信号および前記識別情報を出力した前記無線端末の認定要求を許可する場合に、その判断結果を前記無線端末に送信し、前記要求信号及び前記識別情報を出力した前記無線端末に対して認定を許可しない場合に、認定の許可に必要な情報を該無線端末に送信することを特徴とする認定装置。
【発明の詳細な説明】
【０００１】
【発明の属する技術分野】
本発明は、無線機能の変更が可能な無線端末の認定試験を行う認定試験方法、認定試験システム、無線端末及び認定装置に関する。
【０００２】
【従来の技術】
端末機器の認定制度は、電気通信事業法により規定されており、携帯電話,PHSや無線LAN等の無線端末を利用するには、試験機関又は製造メーカ等において、あらかじめその規定に基づく認定試験を行う必要がある。この認定試験では、機能、性能が同一であり、外観や構造に差がないものは同一とみなし、代表端末のみを試験することで、他の同機種の各端末に認定を与えている。
【０００３】
一方、近い将来、プログラマブルなハードウェアを用いた端末とこれにインストールされる各システムに対応したソフトウェアが複数のベンダーにより開発され、ユーザは、これらを組み合わせて利用する可能性が高い。
【０００４】
このように、無線機能をソフトウェアで実現する機能を有する無線端末を以下の記述では「ソフトウェア無線端末」と称する。上記規定の認定試験では、ソフトウェア無線端末のような“主たる装置の外観等が同一であり、プログラムの部分変更等のみで複数の無線通信システム(以後、単にシステムとする)に対応できる場合”には、最大システム構成の機器で審査すると規定されている。
【０００５】
ここで、最大システム構成の機器とは、例えばGSM、W-CDMA、無線LANの3システムに対応するソフトウェア無線端末の場合、それら3システム全てを含む機器を指す。
【０００６】
従来の認定試験方法では、新しいソフトウェアをダウンロードする度に、最大システム構成が異なるために再度試験機関に端末を持って行って認定試験を行う必要があり、システムの追加削除が簡単に行えるというソフトウェア端末の利点を著しく損なう。
【０００７】
一方、システム追加時に、代表端末での認定試験結果を他の同機種の端末に送信する技術が提案されている（例えば、特願2001-49869号参照）。
【０００８】
【発明が解決しようとする課題】
しかしながら、同機種の端末でも、ソフトウェアのバージョンアップや新ソフトウェアの追加等の状況が端末毎に細かく異なることや、必ずしも同じシステムのダウンロードを同機種の全端末が必要としていないことなどが想定される。このため、代表端末の試験結果を他の同機種に送信するのが、必ずしも有効ではないと考えられる。
【０００９】
また、ソフトウェア無線端末では、各端末のソフトウェア等の状況をいかに管理するかが重要であると考えられる。
【００１０】
本発明は、このような点に鑑みてなされたものであり、その目的は、無線端末の認定試験の処理手順を簡易化するとともに、無線端末への無線機能の追加及び削除の処理手順をユーザ自身で簡易に行えるようにした認定試験方法、認定試験システム、無線端末及び認定装置を提供することにある。
【００１１】
【課題を解決するための手段】
本発明の一態様によれば、無線機能の追加及び削除をソフトウェアにより行うことが可能な無線端末の無線機能が正常に動作するか否かの認定試験を認定装置で行い、認定を許可するか否かを示す信号を前記認定装置から前記無線端末に送信する認定試験方法であって、前記認定装置は、代表端末で実施した認定情報をデータベースとして蓄積しておき、前記無線端末は、新たに追加または削除したい無線機能の要求信号と前記無線端末の識別情報とを出力し、前記無線端末の識別情報は、該無線端末自身を識別する機体ＩＤと、該無線端末が現在所持する各無線機能に関する情報を示すシステムＩＤと、該無線端末が現在使用可能な全無線機能の種類を示すシステム構成ＩＤと、を含み、前記認定装置は、前記要求信号及び前記識別情報を出力した前記無線端末に対して認定を許可するか否かを前記データベースに基づいて判断して、その判断結果を該無線端末に送信し、前記認定装置は、前記要求信号および前記識別情報を出力した前記無線端末の認定要求を許可する場合に、その判断結果を前記無線端末に送信し、前記認定装置は、前記要求信号及び前記識別情報を出力した前記無線端末に対して認定を許可しない場合に、認定の許可に必要な情報を該無線端末に送信し、前記無線端末は、前記認定が許可された場合には、前記認定装置に要求した無線機能の追加または削除を行い、前記無線端末は、前記認定が許可されなかった場合には、前記認定の許可に必要な情報に基づいて、認定の許可を受けるために必要な処理を行って、その処理結果を前記認定装置に送信し、前記認定装置は、前記無線端末から送信された処理結果に基づいて、認定を許可するか否かを判断することを特徴とする認定試験方法を提供するものである。
【００１２】
本発明では、代表端末に対する認定情報をデータベースとして蓄積しておくため、無線機能の追加または削除を行う無線端末の認定試験を正確かつ迅速に行うことができる。
【００１３】
また、本発明の一態様によれば、無線機能の追加及び削除をソフトウェアにより行うことが可能な無線端末と、前記無線端末の無線機能が正常に動作するか否かの認定試験を行い、認定を許可するか否かを示す信号を出力する認定装置と、を備え、前記無線端末は、新たに追加または削除したい無線機能の要求信号と前記無線端末の識別情報とを出力する信号出力部を有し、前記無線端末の識別情報は、該無線端末自身を識別する機体ＩＤと、該無線端末が現在所持する各無線機能に関する情報を示すシステムＩＤと、該無線端末が現在使用可能な全無線機能の種類を示すシステム構成ＩＤと、を含んでおり、前記認定装置は、代表端末で実施した認定情報を蓄積するデータベースと、前記要求信号及び前記識別情報を出力した前記無線端末に対して認定を許可するか否かを前記データベースに基づいて判断する認定判断部と、前記認定判断部の判断結果を該無線端末に送信する判断結果送信部と、を有し、前記判断結果送信部は、前記要求信号および前記識別情報を出力した前記無線端末の認定要求を許可する場合に、その判断結果を前記無線端末に送信し、前記要求信号及び前記識別情報を出力した前記無線端末に対して認定を許可しない場合に、認定の許可に必要な情報を該無線端末に送信し、前記無線端末は、前記認定が許可された場合には、前記認定装置に要求した無線機能の追加または削除を行い、前記無線端末は、前記認定が許可されなかった場合には、前記認定の許可に必要な情報に基づいて、認定の許可を受けるために必要な処理を行って、その処理結果を前記認定装置に送信し、前記認定判断部は、前記無線端末から送信された処理結果に基づいて、認定を許可するか否かを判断することを特徴とする認定試験システムを提供するものである。
【００１４】
また、本発明の一態様によれば、無線機能の追加及び削除をソフトウェアにより行うことが可能な無線端末の無線機能が正常に動作するか否かの認定試験を行う認定装置であって、代表端末で実施した認定情報を格納するデータベースと、新たに追加または削除したい無線機能の要求信号と前記無線端末の識別情報とを出力した前記無線端末に対して認定を許可するか否かを前記データベースに基づいて判断し、その判断結果を出力する認定判断部と、認定を許可した前記無線端末がダウンロードしたソフトウェアに基づいて該無線端末自身が試験した結果を受信し、その受信結果に基づいて該無線端末が正常に動作しているか否かを判断する試験結果判断部と、を備え、前記無線端末の識別情報には、該無線端末自身を識別する機体ＩＤと、該無線端末が現在所持する各無線機能に関する情報を示すシステムＩＤと、該無線端末が現在使用可能な全無線機能の種類を示すシステム構成ＩＤと、が含まれており、前記認定判断部は、前記要求信号および前記識別情報を出力した前記無線端末の認定要求を許可する場合に、その判断結果を前記無線端末に送信し、前記要求信号及び前記識別情報を出力した前記無線端末に対して認定を許可しない場合に、認定の許可に必要な情報を該無線端末に送信することを特徴とする認定装置を提供するものである。
【００１５】
【発明の実施の形態】
以下、本発明に係る認定試験方法、認定試験システム、無線端末及び認定装置について、図面を参照しながら具体的に説明する。
【００１６】
図１（ａ）は本発明に係る認定試験システムの一実施形態の概略構成を示すブロック図である。図１（ａ）の認定試験システムは、無線機能の追加及び削除が可能な無線端末ＭＳと、無線端末ＭＳとの間で無線通信を行う基地局ＢＳと、無線端末ＭＳの認定試験を行う認定装置１と、無線端末ＭＳにて実行される無線機能のソフトウェアを供給するシステム供給装置１０とを備えている。
【００１７】
図１（ａ）では、認定装置１とシステム供給装置１０を基地局ＢＳと一体に設ける例を示しているが、図１（ｂ）に示すように、システム供給装置１０がバックボーンネットワーク２０を介して基地局ＢＳに接続されていてもよい。あるいは、図１（ｃ）に示すように、基地局ＢＳ、認定装置１及びシステム供給装置１０がいずれもバックボーンネットワーク２０に接続されていてもよい。
【００１８】
図２は無線端末ＭＳの内部構成の一例を示すブロック図である。図示のように、無線端末ＭＳは、アナログ無線信号の送受信とデジタル信号からアナログ無線信号へのＤ／Ａ変換あるいはその逆へのＡ／Ｄ変換を行う送受信部２と、デジタル信号の信号処理を行うベースバンド信号処理部３と、送受信部やベースバンド信号処理部３などの制御を行う制御部４と、記憶装置５とを有する。
【００１９】
制御部４は、送受信部を制御する送受信制御部６と、ベースバンド信号処理部３を制御するベースバンド制御部７と、無線端末ＭＳの各種識別情報を管理するＩＤ制御部８とを有する。ＩＤ制御部８が管理する識別情報は、無線端末ＭＳが送信する端末ＩＤ情報を含んでいる。ここで、端末ＩＤ情報は、自端末を識別するための機体ＩＤと、自端末が所持する各無線機能を識別するためのシステムＩＤと、自端末が所持する全無線機能の種類を示すシステム構成ＩＤとを含んでいる。
【００２０】
無線端末ＭＳが所持する無線機能は、ＰＤＣやW-CDMA等のセルラー方式だけでなく、無線ＬＡＮなどの無線システムも含んでいる。また、同一のセルラー方式や無線システムの中に、オプションとして機能を追加できるものがあり、この機能が認定の対象になっている場合は、このような機能も対象となる。
【００２１】
無線端末ＭＳが無線機能の追加または削除を行うと、それに応じてＩＤ制御部８が管理する識別情報が自動的に更新される。なお、ＩＤ制御部８の更新を自動的に行う代わりに、手動で行ってもよい。
【００２２】
このように、ＩＤ制御部８は、各無線端末ＭＳが所持する無線機能に関する情報を記憶するため、認定装置１は個々の無線端末ＭＳからの端末ＩＤ情報を受信することで、個々の無線端末ＭＳのシステム構成を常に把握することができる。
【００２３】
図３は認定装置１の内部構成の一例を示すブロック図である。図示のように、認定装置１は、基地局ＢＳとの間で無線（あるいは有線）信号の送受信を行う送受信部１１と、代表端末の認定情報を格納するデータベース１２と、認定装置１全体を制御する制御部１３とを有する。
【００２４】
制御部１３は、無線機能の追加または削除の要求信号と無線端末ＭＳの識別情報とを出力した無線端末ＭＳに対して認定を許可するか否かをデータベース１２に基づいて判断し、その判断結果を出力する認定判断部１４と、あるシステムについて認定を許可した無線端末ＭＳがダウンロードしたソフトウェアに基づいて該無線端末ＭＳ自身が試験した結果を受信し、その受信結果に基づいてシステムが正常に動作しているか否かを判断する試験結果判断部１５とを有する。
【００２５】
なお、図１では、基地局ＢＳを介して無線端末ＭＳが認定装置１と通信を行う例を示しているが、基地局ＢＳを介さずに直接無線端末ＭＳが認定装置１と通信を行ってもよいし、基地局ＢＳ以外の装置を介して無線端末ＭＳが認定装置１と通信を行ってもよい。
【００２６】
（第１の処理手順）
ここで、システムＡ，Ｂ（例えば、ＧＳＭとW-CDMA）を所持する無線端末ＭＳが新たにシステムＣ（例えば、無線ＬＡＮ）の所持を希望する場合を想定する。この場合の認定試験システムの処理手順は図４のようなフローチャートで表される。
【００２７】
まず、システムＣの追加所持を希望する無線端末ＭＳは、システムＣの取得要求信号と、自端末を識別する機体ＩＤと、自端末が所持する各無線機能を識別するシステムＩＤと、自端末が所持する全無線機能の種類を示すシステム構成ＩＤとを含む端末ＩＤ情報を基地局ＢＳに送信する（ステップＳ１）。基地局ＢＳは、受信された端末ＩＤ情報を認定装置１に送信する（ステップＳ２）。
【００２８】
続いて、認定装置１は、端末ＩＤ情報をデータベース１２内の情報と照合する（ステップＳ３）。上述したように、データベース１２内には、代表端末に対する認定情報が格納されており、認定装置１は、受信された端末ＩＤ情報に対応する情報がデータベース１２に格納されているか否かを判定し（ステップＳ４）、格納されていなければ、認定を許可しないことを示す信号を基地局ＢＳを介してあるいは介さずに無線端末ＭＳに送信し（ステップＳ５）、格納されていれば、認定許可の信号を基地局ＢＳに送信する（ステップＳ６）。
【００２９】
認定許可の信号を受信した基地局ＢＳは、無線端末ＭＳにシステムＣのソフトウェア（システムＣのシステムＩＤを含む）を送信する（ステップＳ７）。このステップＳ７では、基地局ＢＳから無線端末ＭＳに強制的にソフトウェアを送信してもよいし、無線端末ＭＳが基地局ＢＳにアクセスして、システムＣのソフトウェアのダウンロード要求を行ってもよい。
【００３０】
無線端末ＭＳは、システムＣのソフトウェアを取得すると、必要に応じて、このソフトウェアの解凍処理を行うとともに、テストモードに移行する（ステップＳ８）。このテストモードでは、システムＣのソフトウェアを正常に取得できたか否かと、システムＣの周波数や送信電力などの電気特性が正常か否かをテストする。
【００３１】
テストが終了すると、無線端末ＭＳはテスト結果を基地局ＢＳを介して認定装置１に送信する（ステップＳ９）。認定装置１は、テスト結果を解析し（ステップＳ１０）、システムＣが正常に動作していないと判断される場合は、システムＣの使用不可信号を無線端末ＭＳに送信する（ステップＳ１１）。一方、ステップＳ１０にて、システムＣが正常に動作していると判断される場合は、システムＣの使用許可信号と無線端末ＭＳの最大システム構成を示すシステム構成ＩＤとを、基地局ＢＳを介して無線端末ＭＳに送信する（ステップＳ１２）。その後、無線端末ＭＳは、システムＣを用いて、基地局ＢＳとの間で無線信号の送受を行うことができる（ステップＳ１３）。
【００３２】
図５は、図４の処理を行って、システムＣを追加した場合の無線端末ＭＳ内のＩＤ制御部８の更新の様子を示す図である。システムＣを追加する前は、ＩＤ制御８はシステムＡ，Ｂ用のシステムＩＤ（Ｓ_A，Ｓ_B）とシステム構成ＩＤ（Ｓ_1）を所持していたが、システムＣを追加すると、システムＣ用のシステムＩＤ（Ｓ_c）が追加され、システム構成ＩＤがＳ_2に更新される。
【００３３】
このように、図４に示す第１の処理手順では、無線端末ＭＳが無線機能の追加または削除を希望する場合に、無線で認定装置１の認定試験を要求し、認定が許可されると、無線で必要なソフトウェアを取得するため、無線機能の追加または削除の際の認定手続を簡略化することができ、無線端末ＭＳを所持するユーザの手間を省くことができる。
【００３４】
（第２の処理手順）
以下に説明する認定試験システムの第２の処理手順は、認定装置１から認定許可の通知があった後、所定期間が経過した後に無線端末ＭＳがシステムＣのソフトウェアの取得を行うものである。
【００３５】
図６は本発明に係る認定試験システムの第２の処理手順を示すフローチャートである。以下では、図４の処理との相違点を中心に説明する。基地局ＢＳは、無線端末ＭＳからの端末ＩＤ情報を受信すると、無線端末ＭＳに対して、すぐにシステムＣのソフトウェアを取得するか否かを問い合わせる（ステップＳ２３）。この問い合わせに対して、無線端末ＭＳが後で取得する旨を回答したとする（ステップＳ２４）。
【００３６】
このような回答を行うのは、例えば、現時点の無線端末ＭＳ周辺の電波の伝搬環境が悪くてソフトウェアを安定にダウンロードできない場合や、無線端末ＭＳが他の処理を行っている最中である場合などである。
【００３７】
この場合、認定装置１が認定を許可すると、基地局ＢＳはシステムＣのソフトウェアを無線端末ＭＳに送信する代わりに、そのソフトウェアの取得を許可することを示すキー情報を無線端末ＭＳに送信する（ステップＳ２９）。
【００３８】
その後、無線端末ＭＳは、電波の伝搬環境がよくなったり、自端末が行っていた他の処理が終了した場合など、同ソフトウェアを取得する準備が整うと、ソフトウェアの取得要求信号と、取得用のキー情報と、自端末の機体ＩＤとを基地局ＢＳに送信する（ステップＳ３０）。
【００３９】
基地局ＢＳは、無線端末ＭＳから送られたキー情報に不正等があるか否かを確認し（ステップＳ３１）、不正等がなければ無線端末ＭＳにシステムＣのソフトウェアを送信する（ステップＳ３３）。
【００４０】
無線端末ＭＳは、システムＣのソフトウェアを取得すると、必要に応じて同ソフトウェアの解凍処理を行うとともに、テストモードに入り、システムＣのテストを行う（ステップＳ３４〜Ｓ３９）。
【００４１】
このように、第２の処理手順では、無線端末ＭＳにとって都合がよいときに、無線端末ＭＳがソフトウェアを取得できるようにしたため、電波の伝搬環境が悪い等の理由で同ソフトウェアの取得に失敗するおそれがなくなる。
【００４２】
（第３の処理手順）
以下に説明する認定試験システムの第３の処理手順は、現状のままでは認定を許可できない無線端末ＭＳを、認定が許可できるように改良するものである。
【００４３】
図７は本発明に係る認定試験システムの第３の処理手順を示すフローチャートである。以下では、図４の処理との相違点を中心に説明する。無線端末ＭＳの端末ＩＤ情報を確認した結果、認定を許可できないと判断された場合、認定装置１は、無線端末ＭＳに対して、認定を許可する条件を通知する（ステップＳ４５）。ここで、認定を許可する条件とは、例えば、システムＢをバージョンアップすれば許可するとか、システムＤを所持していれば許可する等である。
【００４４】
この通知に対して、無線端末ＭＳがシステムＢのバージョンアップを希望することを認定装置１に通知したとする（ステップＳ４６）。この場合、認定装置１は、基地局ＢＳに対してシステムＢのソフトウェア送信を許可し（ステップＳ４７）、これを受けて、基地局ＢＳは無線端末ＭＳに同ソフトウェアを送信する（ステップＳ４８）。
【００４５】
無線基地局ＢＳは、同ソフトウェアを必要に応じて解凍するとともに、テストモードに入り（ステップＳ４９）、テスト結果を認定装置１に送信する（ステップＳ５０）。認定装置１は、テスト結果を確認し（ステップＳ５１）、システムＢが正常に動作していないと判断される場合はシステムＢを使用不可とし（ステップＳ５２）、システムＢが正常に動作していると判断される場合はシステムＢの使用を許可するとともに、システムＢを使用する場合の最大システム構成ＩＤを無線端末ＭＳに送信する（ステップＳ５３）。続いて、無線端末ＭＳは、基地局ＢＳからシステムＣ用のソフトウェアを取得する（ステップＳ５４）。
【００４６】
システムＣ用のソフトウェアを取得した無線端末ＭＳは、システムを解凍してテストモードに入り（ステップＳ５５）、テスト結果を基地局ＢＳを介して認定装置１に送信し、システムＣが正常に動作しているか否かを確認する（ステップＳ５６〜Ｓ６０）。
【００４７】
このように、第３の処理手順では、現状のままでは認定を許可できない無線端末ＭＳであっても、無線信号の送受により、認定を許可できるように改良できるため、無線端末ＭＳをサービスセンター等に持ち込む必要がなくなり、ユーザの手間が省ける。
【００４８】
（第４の処理手順）
以下に説明する認定試験システムの第４の処理手順は、第３の処理手順の変形例である。
【００４９】
図８は本発明に係る認定試験システムの第４の処理手順を示すフローチャートである。以下では、図７の処理との相違点を中心に説明する。図７では、システムＢのソフトウェアのバージョンアップを行えば、無線端末ＭＳの認定を許可したが、図８のステップＳ７５では、システムＢを削除するか、あるいはシステムＤを所持していれば、無線端末ＭＳの認定を許可する旨を認定装置１から無線端末ＭＳに通知する。
【００５０】
この通知に対して、無線端末ＭＳがシステムＢの削除とシステムＣのソフトウェアの取得を希望する旨を認定装置１に通知すると（ステップＳ７６）、認定装置１は認定を許可するか否かを判断し（ステップＳ７７）、許可する場合には、その旨を無線端末ＭＳに通知する（ステップＳ７８）。
【００５１】
この通知を受けて、無線端末ＭＳはシステムＢとそのシステムＩＤを削除し（ステップＳ７９）、システムＢを削除した旨を基地局ＢＳに通知する（ステップＳ８０）。この通知を受けて、基地局ＢＳは無線端末ＭＳに対してシステムＣのソフトウェアを送信する（ステップＳ８１）。
【００５２】
基地局ＢＳは、同ソフトウェアを受信し終わると、必要に応じて同ソフトウェアの解凍処理を行うとともに（ステップＳ８２）、テストモードに入ってシステムＣが正常に動作するか否かをテストする（ステップＳ８３〜Ｓ８６）。
【００５３】
このように、第４の処理手順では、現状のままでは認定を許可できない無線端末ＭＳであっても、認定を許可するのに必要な処理を認定装置１から無線で通知してもらうため、サービスセンター等に持ち込まなくても、認定装置１による認定を許可させることができる。
【００５４】
（第５の処理手順）
第５の処理手順は、基地局ＢＳではない他の無線端末からシステムＣのソフトウェアを取得するものである。
【００５５】
図９は本発明に係る認定試験システムの第５の処理手順を示すフローチャートである。以下では、図６の処理との相違点を中心に説明する。図９のフローチャートは、システムＣのソフトウェアの取得を要求する無線端末ＭＳ１とは別個に、同ソフトウェアを供給する他の無線端末ＭＳ２を有する。すなわち、無線端末ＭＳ１は、基地局ＢＳではなく、無線端末ＭＳ２から同ソフトウェアを取得する。
【００５６】
図９のステップＳ９６において、無線端末ＭＳ１が要求したシステムＣのソフトウェアの取得を認定装置１が許可すると、認定装置１は基地局ＢＳを介して無線端末ＭＳ１にキー情報を送信する（ステップＳ９８）。
【００５７】
続いて、無線端末ＭＳ１は無線端末ＭＳ２に対して同ソフトウェアの取得要求信号を送信する（ステップＳ９９）。この信号を受けて、無線端末ＭＳ２は無線端末ＭＳ１に同ソフトウェアを供給する（ステップＳ１００）。
【００５８】
システムＣのソフトウェアを取得した無線端末ＭＳ１は、システムＣのシステムＩＤと、基地局ＢＳから送信されたキー情報と、自端末の機体ＩＤとを基地局ＢＳに送信する（ステップＳ１０１）。
【００５９】
基地局ＢＳは、キー情報が不正でないか否かを確認し（ステップＳ１０２）、不正でなければ無線端末ＭＳ２から取得したシステムＣのソフトウェアを必要に応じて解凍するとともに、テストモードに入り（ステップＳ１０４）、システムＣのテストを行う（ステップＳ１０５〜Ｓ１０８）。
【００６０】
このように、第５の実施形態では、基地局ＢＳとは異なる他の無線端末ＭＳ２から所望のソフトウェアを取得するため、例えば、無線端末ＭＳ１が携帯電話のシステムと無線ＬＡＮシステムを所持している場合に、携帯電話の電波状態があまり良くなく、無線ＬＡＮシステムの電波状態が良好な場合は、制御信号のみを携帯電話でやり取りし、ソフトウェアの送受は無線ＬＡＮシステムで行うことができ、ソフトウェアを高速かつ安定に取得できるとともに、ソフトウェアの取得の最中でも、制御信号のやり取りを行うことができる。
【００６１】
（第６の処理手順）
第６の処理手順は、他の無線端末ＭＳではなく、CD-ROM、フレキシブルディスク及びPCMCIAカード等の種々の記録メディアからソフトウェアを取得するものである。
【００６２】
図１０は本発明に係る認定試験システムの第６の処理手順を示すフローチャートである。以下では、図９の処理との相違点を中心に説明する。無線端末ＭＳは、システムＣのソフトウェアを取得するためのキー情報を受信すると（ステップＳ１１５）、CD-ROM等の記録メディアから同ソフトウェアを読み出して、自端末にインストールする（ステップＳ１１６）。その後の処理は、第５の処理手順と同じである。
【００６３】
このように、第６の処理手順は、種々の記録メディアからシステムＣのソフトウェアを読み出してインストールするため、きわめて高速かつ安定にシステムの追加及び削除を行える。
【００６４】
（第７の処理手順）
第７の処理手順は、当初は無線端末ＭＳの認定を許可できなかったが、認定装置１のデータベース１２を事後的に更新することにより、認定を許可できるようになった例を示している。
【００６５】
図１１は本発明に係る認定試験システムの第７の処理手順を示すフローチャートである。以下では、図４の処理との相違点を中心に説明する。認定装置１は、システムの追加または削除要求を過去に行った無線端末ＭＳの中で、データベース１２のバージョンアップ等で認定が許可されるものをピックアップし（ステップＳ１３５）、認定が許可される旨を無線端末ＭＳに通知する（ステップＳ１３６）。
【００６６】
通知を受けた無線端末ＭＳのうち、システムＣのソフトウェアの取得を希望する無線端末ＭＳは、取得要求信号を含む端末ＩＤ情報を基地局ＢＳに送信する（ステップＳ１３８）。
【００６７】
認定装置１は、無線端末ＭＳから送信された端末ＩＤ情報をデータベース１２の情報と照合し（ステップＳ１３９）、認定を許可するか否かを判断する（ステップＳ１４０）。認定を許可する場合には、基地局ＢＳはシステムＣのソフトウェアを無線端末ＭＳに送信し（ステップＳ１４２）、無線端末ＭＳはシステムＣが正常に動作するか否かをテストする（ステップＳ１４４〜Ｓ１４８）。
【００６８】
このように、第７の処理手順では、認定装置１のデータベース１２の更新により無線端末ＭＳの認定を許可できるようになった場合は、その旨を認定装置１から無線端末ＭＳに通知するようにしたため、無線端末ＭＳ側から問い合わせをしなくても、認定許可を受けられるようになり、無線端末ＭＳユーザの手間が省ける。
【００６９】
【発明の効果】
以上詳細に説明したように、本発明によれば、無線端末が無線機能の追加及び削除を行う場合に、無線端末から無線により認定装置の認定試験を受けられるようにしたため、サービスセンター等に無線端末を持ち込む必要がなくなり、無線端末の所持者の負担を軽減できる。また、認定装置は、代表端末に対する認定情報をデータベースとして蓄積しておくことにより、無線端末の認定を許可するか否かの判断を正確かつ迅速に行うことができる。
【図面の簡単な説明】
【図１】本発明に係る認定試験システムの一実施形態の概略構成を示すブロック図。
【図２】無線端末ＭＳの内部構成の一例を示すブロック図。
【図３】認定装置１の内部構成の一例を示すブロック図。
【図４】認定試験システムの第１の処理手順を示すフローチャート。
【図５】図４の処理を行って、システムＣを追加した場合の無線端末ＭＳ内のＩＤ制御部８の更新の様子を示す図。
【図６】認定試験システムの第２の処理手順を示すフローチャート。
【図７】認定試験システムの第３の処理手順を示すフローチャート。
【図８】認定試験システムの第４の処理手順を示すフローチャート。
【図９】認定試験システムの第５の処理手順を示すフローチャート。
【図１０】認定試験システムの第６の処理手順を示すフローチャート。
【図１１】認定試験システムの第７の処理手順を示すフローチャート。
【符号の説明】
１  認定装置
２  送受信部
３  ベースバンド信号処理部
４  制御部
５  記憶装置
６  送受信制御部
７  ベースバンド制御部
８  ＩＤ制御部
１１  送受信部
１２  データベース
１３  制御部
１４  認定判断部
１５  試験結果判断部
ＭＳ  無線端末
ＢＳ  基地局
【図１】
0003651605.tif 000002
【図２】
0003651605.tif 000003
【図３】
0003651605.tif 000004
【図４】
0003651605.tif 000005
【図５】
0003651605.tif 000006
【図６】
0003651605.tif 000007
【図７】
0003651605.tif 000008
【図８】
0003651605.tif 000009
【図９】
0003651605.tif 000010
【図１０】
0003651605.tif 000011
【図１１】
0003651605.tif 000012